(57)【特許請求の範囲】
【請求項１】
平面状の被取付体に、外形を構成する辺の少なくとも一辺を接した状態で取付けられる金属箔成形体であって、
多角形平板形状を有し、前記一辺を備えた成形体と、
前記一辺であってその両端部を除いた位置に取付けられ、前記被取付体に固定される固定手段とを備え、
取付け前の前記固定手段の固定面が、前記両端部の各々を結ぶ直線に対して前記被取付体に向かって反対方向に位置する、金属箔成形体。
【請求項２】
前記成形体は矩形平板形状を有するとともに、その外縁には縁巻が全周形成され、前記固定手段は前記成形体の対向する辺の縁巻の各々のほぼ中央位置であって、その固定面が該縁巻の稜線にほぼ整列するように取付けられた取付具であり、
前記取付具の各々が取付けられた縁巻の中心線は、円弧状を有する、請求項１記載の金属箔成形体。
【請求項３】
前記成形体は矩形平板形状を有するとともに、その外縁には縁巻が全周形成され、前記固定手段は前記成形体の対向する辺の縁巻の各々のほぼ中央位置であって、その固定面が該縁巻の稜線にほぼ整列するように取付けられた取付具であり、
前記取付具の各々が取付けられた縁巻の中心線は、逆Ｖ字形状を有する、請求項１記載の金属箔成形体。
【請求項４】
前記成形体は矩形平板形状を有するとともに、その外縁には縁巻が全周形成され、前記固定手段は前記成形体の対向する辺の縁巻上であって、その固定面が該縁巻の稜線にほぼ整列するように取付けられた取付具であり、
対向する縁巻の各々には２個の取付具を有し、
前記取付具の各々が取付けられた縁巻の中心線は、前記取付具の各々の取付位置を頂点とする逆Ｗ字形状を有する、請求項１記載の金属箔成形体。
【請求項５】
前記成形体は矩形平板形状を有するとともに、その外縁には縁巻が全周形成され、前記固定手段は前記成形体の対向する辺の縁巻の各々のほぼ中央位置であって、その固定面が該縁巻の稜線にほぼ整列するように取付けられた取付具であり、
前記取付具の各々が取付けられた縁巻の中心線は、前記取付具が取付けられる水平部分と前記水平部分の両端から外方に、かつ前記被取付体側に傾斜して伸びる１対の傾斜部分とからなる形状を有する、請求項１記載の金属箔成形体。
【請求項６】
前記金属箔成形体は、レンジフード用フィルタカバーを含む、請求項１から請求項５のいずれかに記載の金属箔成形体。
【発明の詳細な説明】
【０００１】
【発明の属する技術分野】
この発明は金属箔成形体に関し、特にレンジフード用フィルタカバー等のアルミニウム箔をプレス成形して形成される金属箔成形体に関するものである。
【０００２】
【従来の技術】
図８は従来のレンジフード用フィルタカバー概略構造を示す斜視図である。
【０００３】
図を参照して、レンジフード用フィルタカバー７０は第１の分割体７１と第２の分割体７２とから構成され、各々アルミニウム箔のシートを成形加工することによって形成されている。その各々の中央には不織布等からなるフィルタ７３及びフィルタ７４が取付けられている。又、第１の分割体７１の外周には縁巻７５ａ〜縁巻７５ｃが形成され、第２の分割体７２の外周には縁巻７６ａ〜縁巻７６ｃが形成されている。
【０００４】
第１の分割体７１の縁巻７５ｂには取付具７７が、第２の分割体７２の縁巻７６ｂには取付具７８が各々取付けられている。
【０００５】
図９は図８の“Ｙ”部分の拡大斜視図である。
【０００６】
図を参照して、取付具７８は断面がコの字状のヨーク８０と、ヨーク８０の内部に取付けられた磁石８１と、ヨーク８０に一体的に接続された折曲げ部８２とから構成される。尚、折曲げ部８２は、取付具７８を第２の分割体７２に取付ける前には曲げられておらず、又折曲げ位置に対応した部分に開口８４が形成されている。
【０００７】
取付具７８を第２の分割体７２に取付ける際には、折曲げ部８２を第２の分割体７２の縁巻７６ｂの近傍に形成される開口８３に通し、開口８４の部分でヨーク８０の背面の方向に折り曲げる。このようにして取付具７８は第２の分割体７２の縁巻７６ｂの周りに回動自在に取付けられる。
【０００８】
一方、取付具７７も同様の構造を有しており、同様にレンジフード用フィルタカバー７０の縁巻７５ｂに回動自在に取付けられている。
【０００９】
図１０は図８のレンジフード用フィルタカバー７０を被取付体に取付けた状態を示した側面図である。
【００１０】
図を参照して、レンジフード用フィルタカバー７０は、取付具７７の吸着力によってレンジフード等の被取付体３１に取付けられている。
【００１１】
図１１は図８の“Ｚ”部分の拡大斜視図である。
【００１２】
図を参照して、第１の分割体７１の縁巻７５ａに第２の分割体７２の縁巻７６ａが摺動自在に挿入されている。このようにしてレンジフード用フィルタカバー７０においては、第１の分割体７１の縁巻７５ａ及び縁巻７５ｃと第２の分割体７２の縁巻７６ａ及び縁巻７６ｃの各々とが摺動自在に係合し、図８の状態からレンジフード用フィルタカバー７０の全体長さを、取付ける対象のレンジフード等の被取付体３１の幅に合わせるように伸縮させて任意の長さに調整することができる。
【００１３】
【発明が解決しようとする課題】
上記のような従来の金属箔成形体たるレンジフード用フィルタカバーでは、取付具７７及び取付具７８が取付けられる縁巻７５ｂ，縁巻７６ｂが正確に直線状に形成されていれば問題がない。しかし、図１０に示すように縁巻７５ｂの両端部が上方にやや湾曲したように形成されたような場合、その取付け状態が不安定となる。
【００１４】
すなわち、この状態では、レンジフード用フィルタカバー７０が被取付体３１に取付具７７を介して取付けられると、縁巻７５ｂの両端部は被取付体３１に完全に密着せず、被取付体３１に対して若干の隙間が生じることになる。そして、レンジフード用フィルタカバー７０の使用時にフィルタ７３及びフィルタ７４を介して空気が流入すると、縁巻７５ｂの両端部が動いてしまい取付け状態が不安定になる。又、この隙間から汚れた吸入空気が入りやすくフィルタ効果を低減させるとともに、隙間に対応する被取付体３１の取付面に汚れが付着しやすくなる。
【００１５】
この発明は上記のような課題を解決するためになされたもので、取付状態を安定させるとともに取付部分の被取付体との隙間を減少させる金属箔成形体を提供することを目的とする。
【００１６】
【課題を解決するための手段】
上記の目的を達成するために、請求項１記載の発明は、平面状の被取付体に、外形を構成する辺の少なくとも一辺を接した状態で取付けられる金属箔成形体であって、多角形平板形状を有し、一辺を備えた成形体と、一辺であってその両端部を除いた位置に取付けられ、被取付体に固定される固定手段とを備え、取付け前の固定手段の固定面が、両端部の各々を結ぶ直線に対して被取付体に向かって反対方向に位置するものである。
【００１７】
このように構成すると、成形体を平面状の被取付体に取付けた際、固定手段が取付けられた一辺はほぼ直線状に変形する。
【００１８】
請求項２記載の発明は、請求項１記載の発明の構成において、成形体は矩形平板形状を有するとともに、その外縁には縁巻が全周形成され、固定手段は成形体の対向する辺の縁巻の各々のほぼ中央位置であって、その固定面が縁巻の稜線にほぼ整列するように取付けられた取付具であり、取付具の各々が取付けられた縁巻の中心線は円弧状を有するものである。
【００１９】
このように構成すると、縁巻による変形に対する弾性力の向上とともに、取付具が取付けられた辺の変形状態が安定する。
【００２０】
請求項３記載の発明は、請求項１記載の発明の構成において、成形体は矩形平板形状を有すると共に、その外縁には縁巻が全周形成され、固定手段は成形体の対向する辺の縁巻の各々のほぼ中央位置であって、その固定面が縁巻の稜線にほぼ整列するように取付けられた取付具であり、取付具の各々が取付けられた縁巻の中心線は逆Ｖ字形状を有するものである。
【００２１】
このように構成すると、縁巻による変形に対する弾力性の向上とともに、取付具が取付けられた辺の変形状態が安定する。
【００２２】
請求項４記載の発明は、請求項１記載の発明の構成において、成形体は矩形平板形状を有すると共に、その外縁には縁巻が全周形成され、固定手段は成形体の対向する辺の縁巻上であって、その固定面が縁巻の稜線にほぼ整列するように取付けられた取付具であり、対向する縁巻の各々には２個の取付具を有し、取付具の各々が取付けられた縁巻の中心線は取付具の各々を頂点とする逆Ｗ字形状を有するものである。
【００２３】
このように構成すると、縁巻による変形に対する弾力性の向上とともに、取付具が取付けられた辺の変形状態が安定する。
【００２４】
請求項５記載の発明は、請求項１記載の発明の構成において、成形体は矩形平板形状を有するとともに、その外縁には縁巻が全周形成され、固定手段は成形体の対向する辺の縁巻の各々のほぼ中央位置であって、その固定面が縁巻の稜線にほぼ整列するように取付けられた取付具であり、前記取付具の各々が取付けられた縁巻の中心線は、前記取付具が取付けられる水平部分と前記水平部分の両端から外方に、かつ前記被取付体側に傾斜して伸びる１対の傾斜部分とからなる形状を有するものである。
【００２５】
このように構成すると、縁巻による変形に対する弾力性の向上とともに、取付具が取付けられた辺の変形状態が安定する。
【００２８】
請求項６記載の発明は、請求項１から請求項５のいずれかに記載の発明の構成において、金属箔成形体はレンジフード用フィルタカバーを含むものである。
【００３１】
【発明の効果】
以上説明したように、請求項１記載の発明は、固定手段が取付けられた一辺がほぼ直線状に変形するので、固定手段の取付辺の両端部が被取付体に押付けられて取付状態が安定する。
【００３２】
請求項２〜請求項５記載の発明は、請求項１記載の発明の効果に加えて、取付具が取付けられる辺の変形状態が安定するので、取付辺の両端部に生じる押付け力のばらつきが少なくなり、取付状態がより一層安定する。
【００３３】
請求項６記載の発明は、請求項１から請求項５のいずれかに記載の発明の効果に加えて、レンジフードの作動中の空気の流れ状態においても金属箔成形体ががたつくことは少なくなり、安定した取付状態が保持される。
【００３５】
【発明の実施の形態】
図１はこの発明の第１の実施の形態によるレンジフード用フィルタカバーの外観形状を示した斜視図である。
【００３６】
図を参照して、レンジフード用フィルタカバー１５は第１の分割体１６と第２の分割体１７とから構成される。第１の分割体１６は例えばアルミニウム箔シートを成形加工することによって形成されており、その中央部の開口部分には不織布等からなるフィルタ２０が接着されている。又、第１の分割体７１の両側縁と分割体第２の分割体１７に係合する側と反対側の側縁とには、縁巻２３ａ〜縁巻２３ｃが形成されている。更に、第１の分割体１６の縁巻２３ｂの部分には、レンジフードの壁面等の被取付体に取付けるための磁石が埋め込まれた取付具２６が回動自在に取付けられている。
【００３７】
一方、第２の分割体１７も同様にアルミニウム箔シートの成形加工により形成されており、その中央部の開口には同様にフィルタ２１が取付けられている。又、第１の分割体１６と同様に第２の分割体１７の側縁には縁巻２４ａ〜縁巻２４ｃが形成されている。更に、縁巻２４ｂには取付具７８が回動自在に取付けられている。
【００３８】
図２は図１のＩＩ−ＩＩラインから見た図であって、レンジフード等の被取付体に取付ける前の状態と取付けた後の状態とを示した図である。
【００３９】
図２の（１）はレンジフード用フィルタカバー１５の取付前の状態を示しており、第１の分割体１６の縁巻２３ｂの中心線は、取付具２６が取付けられた部分が上方に湾曲するいわゆる円弧状に形成されている。すなわち、縁巻２３ｂの下端とほぼ同一面となる取付前の取付具２６の取付面の位置が、縁巻２３ｂの両端部の各々を結ぶ直線２９に対して被取付体３１に向かって反対方向に距離Ｓ分だけ離れている。又、取付具２６の取付面は、縁巻２３ｂの下側の稜線にほぼ整列した位置となっている。尚、この実施の形態においては、レンジフード用フィルタカバー１６の幅、すなわち縁巻２３ｂの長さは３２０ｍｍであり、縁巻２３ｂの湾曲程度、すなわち距離Ｓは２ｍｍに設定されている。又、取付具２６は縁巻２３ｂのほぼ中央に位置しているため、その位置と縁巻２３ｂの端部との距離Ｌと距離Ｓの比は、１６０：２となっている。尚、Ｓ／Ｌの比は１／２００以上であれば良く、その上限は取付時の縁巻２３ｂの弾性を損なわない範囲までであれば良い。同様に図１で示した第２の分割体１７の縁巻２４ｂの中心線も同様の円弧状に形成されている。
【００４０】
図２の（２）は、図２の（１）の状態のレンジフード用フィルタカバー１５を被取付体３１に取付けた状態を示した図である。
【００４１】
図を参照して、取付具２６が被取付体３１に固着されると、縁巻２３ｂの湾曲状態が図のような直線状態に変形する。そのため、縁巻２３ｂの両端部には矢印で示すような力が被取付体３１に対して加わることになる。これによって図１０で示した従来例のように縁巻２３ｂの両端部と被取付体３１との間に隙間が生じる虞れがなく、完全に密着した状態で取付けられることになる。そのため、取付状態が安定するとともに、縁巻２３ｂの直線状への変形によって被取付体３１との隙間がより少なくなり、その部分から進入する空気の量を低減することが可能となる。
【００４２】
尚、上記の実施の形態においては、矩形形状の対向辺を構成する縁巻２３ｂ及び縁巻２４ｂの各々の中心軸を円弧状に形成したが、他の対向辺を構成する縁巻２３ａ及び縁巻２４ａと縁巻２３ｃ及び縁巻２４ｃとをいずれも同様にそれらの中心線が円弧状になるように形成してもよい。
【００４３】
図３は図１の“Ｘ”部分の拡大斜視図であり、図４は図３のＩＶ−ＩＶラインの端面図である。
【００４４】
これらの図を参照して、縁巻２３ａは大径の第１ストレート部３３と、第１ストレート部３３の径より小さい小径の第２ストレート部３５と、第１ストレート部３３と第２ストレート部３５との間に接続され、それらに連続的に接続されるようにその径が徐々に変化するテーパ部３４とから構成されている。
【００４５】
一方、縁巻２４ａは、縁巻２３ａのテーパ部３４の内部に収納され、かつその全体形状がテーパ部３４に類似のテーパ部３８と、縁巻２３ａの第２ストレート部３５の内部にその一部が収納され、かつ摺動自在なストレート部３７とから構成されている。尚、図４に示されているように、縁巻２３ａの第２ストレート部３５の先端部は内方に折り曲げられ内層縁巻４０が形成されている。一方、縁巻２４ａのテーパ部３８の先端は外方に折り曲げられて外層縁巻４１が形成されている。
【００４６】
縁巻２３ａ及び縁巻２４ａはこのように構成されているため、図４の二点鎖線で示している方向には縁巻２４ａは移動自在であるが、矢印方向への移動は実線で示した位置において縁巻２３ａのテーパ部３４と縁巻２４ａのテーパ部３８とが接触して、それ以上の移動が停止する。すなわち、テーパ部３４とテーパ部３８とによってストッパー機能を発揮することになる。
【００４７】
この係合状態は、図１で示された第１の分割体１６と第２の分割体１７とが引き伸ばされた状態においてさらなる伸びが防止され、一方これらの係合を深くする、いわゆるレンジフード用フィルタカバー１５を縮める方向に対してはスムーズなスライド動作を可能とすることを意味する。これによって、不用意なレンジフード用フィルタカバー１５の引き伸ばしがされても、第１の分割体１６と第２の分割体１７との係合が外れてしまうことを確実に防止することができる。
【００４８】
図５は図３及び図４で示した縁巻の係合構造をプレス成形するための工程を示した図である。
【００４９】
まず図５の（１）に示すように、第１の分割体１６に対応する矩形平板状の第２の平板４４と第２の分割体１７に対応する矩形平板状の第１の平板４３とを準備する。そして、第２の平板４４の端部４６を第１の平板４３側に内方に折り曲げて折返し片４８とし、同様に第１の平板４３の端部４５の部分を第２の平板４４側に折返して折返し片４７とする。
【００５０】
この状態で図５の（２）に示すように第２の平板４４の一部と第１の平板４３の一部とを重ね合わせて、二点鎖線で示す部分より上方の部分を矢印で示す方向に一体的に折り曲げて縁巻きを形成する。
【００５１】
このとき図５の（３）に示されているように領域Ａの部分の縁巻径を大きくし、領域Ｃの縁巻径の大きさを領域Ａの部分のものに比べて小さくする。そして領域Ｂの部分においては領域Ａと領域Ｃの縁巻径に連続するようにその縁巻径を徐々に変化するように設定する。尚、このような縁巻径の設定はプレス成形する際の金型の寸法設定によって行なう。
【００５２】
このようにして第２の平板４４と第１の平板４３とが重ね合わされた状態で一体的に縁巻が形成されると、図３及び図４で示した縁巻２３ａ及び縁巻２４ａの形状の縁巻が係合した状態で形成されることになる。すなわち、レンジフード用フィルタカバー１５は成形後に図１で示されたような伸ばされた状態となるように、第１の分割体１６及び第２の分割体１７が同時に一体的にプレス成形されることになる。
【００５３】
図６はこの発明の第２の実施の形態によるレンジフード用フィルタカバーの第１の分割体と第２の分割体との縁巻係合構造を示した端面図である。
【００５４】
図を参照して、第１の分割体の縁巻２３ａは小径の第１ストレート部５０と、第１ストレート部５０の径より大きな径を有する大径の第２ストレート部５２と、第１ストレート部５０と第２ストレート部５２との間に接続され、それらに連続的に接続されるようにその径が徐々に変化するテーパ部５１とから構成される。
【００５５】
一方、第２の分割体の縁巻２４ａは、第２ストレート部５２の内部に収納されかつ摺動自在な径を有するストレート部５３と、縁巻２３ａのテーパ部５１の内部に収納され、かつ全体形状がテーパ部５１と類似のテーパ部５４とから構成される。尚、縁巻２３ａの第２ストレート部５２の先端は内方に折り曲げられ内層縁巻５５が形成されている。一方、縁巻２４ａのテーパ部５４の先端は外方に折り曲げられて外層縁巻５６が形成されている。
【００５６】
縁巻２３ａ及び縁巻２４ａは、先の第１の実施の形態による図５で示したように一体的なプレス成形によって同時に形成されるものである。このような縁巻係合構造を採用すると、縁巻２４ａは二点鎖線で示されている方向には移動自在であるが、矢印で示す方向に移動すると、縁巻２４ａのテーパ部５４と縁巻２３ａのテーパ部５１とが、互いに当接してそれ以上の移動が阻止されるストッパー機能を発揮する。
【００５７】
したがってこのような縁巻係合構造によって、図１でいえばレンジフード用フィルタカバー１５を構成する第１の分割体１６と第２の分割体１７との係合状態をより深くしてレンジフード用フィルタカバー１５の全体長さを小さくする場合に、これらの係合の最終的な停止位置を設定することができる。
【００５８】
尚、図６の構造であれば、二点鎖線で示す方向に縁巻２４ａを移動させた場合、最終的には縁巻２４ａの外層縁巻５６と縁巻２３ａの内層縁巻５５とが当接することになり、縁巻２４ａが縁巻２３ａから分離して脱落するような虞れもない。すなわち図６の縁巻係合構造であれば、矢印の方向のみならずその反対方向の移動に対してもどちらもストッパー機能を有する構造といえる。したがって用途に応じてこの縁巻係合構造を採用すれば、縁巻を介してスライドさせる構造体に対してはより有益な機能を提供することが可能となる。
【００５９】
図７はこの発明の第３の実施の形態による換気扇カバーの取付状態を示した斜視図である。
【００６０】
図を参照して、換気扇カバー５８は、その中央部に形成されその開口にフィルタ６３が取付けられた膨出部６４と、膨出部６４の外周から外方に向かって平面状に伸びるフランジ部５９と、フランジ部５９の外周端全周に形成された縁巻６２ａ〜縁巻６２ｄによって構成されている。フランジ部５９の両側部分には、取付けるべき換気扇枠５７に固定された取付金具６１に係合する取付部６０が形成されている。これによって換気扇カバー５８はフランジ部５９が換気扇枠５７の取付け面に押付けられた状態で取付けられることになる。
【００６１】
図に示す二点鎖線は換気扇カバー５８の取付前の状態であって、取付部６０が形成されている側の縁巻６２ａ及び縁巻６２ｂの位置を示したものである。このように縁巻６２ａ及び縁巻６２ｂともに、その中央部がその両端部を結ぶ直線から換気扇枠５７とは反対方向に湾曲するような円弧状に形成されている。したがって取付時には、取付部６０に係合した取付金具６１によって縁巻６２ａ及び縁巻６２ｂは直線状に変形する。そのため縁巻６２ｃ及び縁巻６２ｄもより強く換気扇枠５７の取付面に抑えられることになり、換気扇カバー５８の取付状態が安定する。
【００６２】
図１２はこの発明の第４の実施の形態によるレンジフード用フィルタカバーの外観形状を示した斜視図である。
【００６３】
図１２を参照して、レンジフード用フィルタカバー９０は第１の分割体９１と第２の分割体９２とから構成される。第１の分割体９０は例えばアルミニウム箔シートを成形加工することによって形成されており、その中央部の開口部分には不織布等からなるフィルタ９３が接着されている。又、第１の分割体９１の両側縁と分割体第２の分割体９２に係合する側と反対側の側縁とには、縁巻９５ａ〜縁巻９５ｃが形成されている。更に、第１の分割体９１の縁巻９５ｂの部分には、レンジフードの壁面等の被取付体に取付けるための磁石が埋め込まれた取付具９７が回動自在に取付けられている。
【００６４】
一方、第２の分割体９２も同様にアルミニウム箔シートの成形加工により形成されており、その中央部の開口には同様にフィルタ９４が取付けられている。又、第１の分割体９１と同様に第２の分割体９２の側縁には縁巻９６ａ〜縁巻９６ｃが形成されている。更に、縁巻９６ｂには取付具９８が回動自在に取付けられている。
【００６５】
図１３は図１２のＸＩＩＩ−ＸＩＩＩラインから見た端面図であって、レンジフード等の被取付体に取付ける前の状態を示した図である。
【００６６】
図１３はレンジフード用フィルタカバー９０の取付前の状態を示しており、第１の分割体９１の縁巻９５ｂの中心線は、取付具９７の取付位置を頂点として被取付体３１側に向かって伸びるいわゆる逆Ｖ字形状に形成されている。すなわち、縁巻９５ｂの下端とほぼ同一面となる取付前の取付具９７の取付面の位置が、縁巻９５ｂの両端部の各々を結ぶ直線９９に対して被取付体３１に向かって反対方向に距離Ｓ分だけ離れている。又、取付具９７の取付面は、縁巻９５ｂの下側の稜線にほぼ整列した位置となっている。同様に図１２で示した第２の分割体９２の縁巻９６ｂの中心線も同様の逆Ｖ字形状に形成されている。これによって先の第１の実施の形態によるレンジフードカバーと同様に縁巻９５と被取付体３１とを密着させた状態でレンジフード用フィルターカバー９０を取付けることが可能となる。
【００６７】
図１４はこの発明の第５の実施の形態によるレンジフード用フィルタカバーのレンジフード等の被取付体に取付ける前の状態を示した端面図であって、図１３に対応した図である。
【００６８】
図１４はレンジフード用フィルターカバー１０２の取付前の状態を示しており、第１の分割体の縁巻１０３の中心線は、取付具１０４および取付具１０５の取付位置の各々を頂点として被取付体３１側に伸びる、いわゆる逆Ｗ字形状に形成されている。これによって先の第１の実施の形態によるレンジフードカバーと同様に縁巻１０３と被取付体３１とを密着させた状態でレンジフード用フィルターカバー１０２を取付けることが可能となる。
【００６９】
図１５はこの発明の第６の実施の形態によるレンジフード用フィルタカバーのレンジフード等の被取付体に取付ける前の状態を示した端面図であって、図１３に対応した図である。
【００７０】
図１５はレンジフード用フィルターカバー１１０の取付前の状態を示しており、取付具１１２の各々が取付けられた縁巻１１１の中心線は、取付具１１２が取付けられる水平部分の縁巻１１１ｂと縁巻１１１ｂの両端から外方に、かつ被取付体３１側に傾斜して伸びる１対の傾斜部分の縁巻１１１ａ、縁巻１１１ｃとからなる形状に形成されている。これによって先の第１の実施の形態によるレンジフードカバーと同様に縁巻１１１ａ〜縁巻１１１ｃと被取付体３１とを密着させた状態でレンジフード用フィルターカバー１１０を取付けることが可能となる。
【００７１】
図１６はこの発明の第７の実施の形態によるレンジフード用フィルタカバーのレンジフード等の被取付体に取付ける前の状態を示した端面図であって、図１３に対応した図である。
【００７２】
図１６はレンジフード用フィルターカバー１１６の取付前の状態を示しており、取付具１１８の各々が取付けられた縁巻１１７の中心線は、取付具１１８が取付けられる水平部分の縁巻１１７ｂと縁巻１１７ｂの両端から被取付体３１側にほぼ垂直に伸び、かつ、その端部が外方に広がる１対の垂直部分の縁巻１１７ａ、縁巻１１７ｃとからなる形状に形成されている。これによって先の第１の実施の形態によるレンジフードカバーと同様に縁巻１１７ａ〜縁巻１１７ｃと被取付体３１とを密着させた状態でレンジフード用フィルターカバー１１６を取付けることが可能となる。
【００７３】
尚、上記の実施の形態のいずれにおいても被取付体の表面形状は平面としているが、曲面形状等の被取付体にも適用できる。この場合、取付具が取付けられる辺の両端部の各々と被取付体との距離の和の二分の一の長さより、取付け具の取付面と被取付体との距離を大きくするように金属箔成形体の形状を設定すれば良い。このようにすると、取付具が取付けられた辺が被取付体の表面形状に沿うように変形するので、取付具の両端部が被取付体に押付けられて取付状態が安定する。
【００７４】
又、上記の各実施の形態では、取付具２６,２７は取付辺のほぼ中央に取付けているが、取付辺の両端部を除いた位置に取付ければ同様に取付状態が安定する。
【００７５】
更に、上記の実施の形態では磁石を用いた取付具や、取付金具と係合する取付部を金属箔成形体の固定手段としているが、これら以外の例えば粘着テープ、両面ファスナ、クリップ等の固定手段も同様に使用することができる。
【００７６】
更に、上記の各実施の形態では、取付具は対向する辺に一対に取付けられているが、いずれか一方の辺にのみ取付具を取付けるようにしても同様の効果を奏する。
【００７７】
更に、上記の実施の形態では、金属箔成形体の外周の辺には縁巻が形成されているが、取付状態の安定化という観点からは縁巻が形成されていない辺に直接取付具を取付けても良い。
【００７８】
更に、上記の実施の形態として示したレンジフード用フィルタカバーは伸縮可能な分割体構造としているが、伸縮機能の無い一体型のレンジフード用フィルタカバーにも同様に適用できることはいうまでも無い。
【００７９】
更に、上記の各実施の形態では、金属箔成形体の外形は矩形形状を有しているが、他の多角形形状を外形とする金属箔成形体にも同様に適用できることはいうまでも無い。
【図面の簡単な説明】
【図１】この発明の第１の実施の形態によるレンジフード用フィルタカバーの外観形状を示した斜視図である。
【図２】図１のＩＩ−ＩＩラインから見た図であって、レンジフード用フィルタカバー１５の取付前の状態と取付後の状態とを示した図である。
【図３】図１の“Ｘ”部分の拡大斜視図である。
【図４】図３のＩＶ−ＩＶラインの端面図である。
【図５】図４で示した縁巻係合構造の製造手順を示した図である。
【図６】この発明の第２の実施の形態によるレンジフード用フィルタカバーの縁巻係合構造の構成を示した端面図である。
【図７】この発明の第３の実施の形態による換気扇カバーの取付状態を示した斜視図である。
【図８】従来のレンジフード用フィルタカバーの外観形状を示した斜視図である。
【図９】図８の“Ｙ”部分の拡大斜視図である。
【図１０】図８のＸ−Ｘラインから見たレンジフード用フィルタカバー７０の取付状態を示した図である。
【図１１】図８の“Ｚ”部分の拡大斜視図である。
【図１２】この発明の第４の実施の形態によるレンジフード用フィルタカバーの外観形状を示した斜視図である。
【図１３】図１２のＸＩＩＩ−ＸＩＩＩラインから見たレンジフード用フィルタカバー９０の取付前の状態を示した端面図である。
【図１４】この発明の第５の実施の形態によるレンジフード用フィルタカバーの取付前の状態を示した端面図であって図１３に対応した図である。
【図１５】この発明の第６の実施の形態によるレンジフード用フィルタカバーの取付前の状態を示した端面図であって図１３に対応した図である。
【図１６】この発明の第７の実施の形態によるレンジフード用フィルタカバーの取付前の状態を示した端面図であって図１３に対応した図である。
【符号の説明】
１５…レンジフード用フィルタカバー
１６…第１の分割体
１７…第２の分割体
２３，２４，１１１ａ〜１１１ｃ，１１７ａ〜１１７ｃ…縁巻
２６，２７…取付具
３１…被取付体
尚、各図中同一符号は同一又は相当部分を示す。
【図１】
0003762247.tif 000002
【図２】
0003762247.tif 000003
【図３】
0003762247.tif 000004
【図４】
0003762247.tif 000005
【図５】
0003762247.tif 000006
【図６】
0003762247.tif 000007
【図７】
0003762247.tif 000008
【図８】
0003762247.tif 000009
【図９】
0003762247.tif 000010
【図１０】
0003762247.tif 000011
【図１１】
0003762247.tif 000012
【図１２】
0003762247.tif 000013
【図１３】
0003762247.tif 000014
【図１４】
0003762247.tif 000015
【図１５】
0003762247.tif 000016
【図１６】
0003762247.tif 000017